(57)【要約】【課題】内部のほこりを効率的に吐き出すことにより、内部にほこりが溜まらない電子機器を提供する。【解決手段】筐体内に配設された冷却ファンと、電子機器の動作中に、冷却ファンに対して、定常回転、回転動作の一時停止、その後、定常回転を超える回転数での回転を行わせる冷却ファン制御部と、を備える電子機器。【選択図】図２
2013055295.tif 000002
【特許請求の範囲】
【請求項１】
筐体内に配設された冷却ファンと、
電子機器の動作中に、前記冷却ファンに対して、定常回転、回転動作の一時停止、その後、定常回転を超える回転数での回転を行わせる冷却ファン制御部と、
を備える電子機器。
【請求項２】
前記冷却ファンは複数である請求項１記載の電子機器。
【請求項３】
前記冷却ファンは、該電子機器から外部に空気を吐き出す向きに取り付けられる請求項１又は２記載の電子機器。
【請求項４】
前記冷却ファンは、該電子機器の外縁に配設される請求項１記載の電子機器。
【請求項５】
複数の前記冷却ファンに対して、定常回転、一時停止、最大出力での回転の制御を同時に行う請求項２記載の電子機器。
【請求項６】
複数の前記冷却ファンに対して、定常回転、一時停止、最大出力での回転の制御をアトランダムに行う請求項２記載の電子機器。
【請求項７】
該電子機器の操作が所定時間以上行われていない場合に、前記冷却ファンに対して、定常回転、一時停止、最大出力での回転の制御を行う請求項１乃至請求項６のいずれか１項に記載の電子機器。
【請求項８】
前記冷却ファンに対して、定常回転、一時停止、最大出力での回転の制御を行う際に、該電子機器に備える表示器に、所定のメッセージを表示する請求項１乃至請求項７のいずれか１項に記載の電子機器。
【発明の詳細な説明】
【技術分野】
【０００１】
本発明の実施形態は、内部からのほこり吐き出し制御を行う電子機器に関する。
【背景技術】
【０００２】
ＰＯＳレジスターやＰＣ等の電子機器では、ＣＰＵやメモリ等の電子機器内部の部品を冷却するため、冷却ファンが搭載されている。
【０００３】
電子機器の使用中、電子機器内部では、冷却ファンによって空気が循環し、ほこりが溜まってしまうことがある。
【０００４】
ほこりが溜まると、電子機器内部における空気の循環がうまく行われなくなり、十分に冷却効果が得られず、電子機器が動作異常を起こしたり、搭載部品の寿命を縮める虞があった。
【先行技術文献】
【特許文献】
【０００５】
【特許文献１】特開２００９−２３８０２０号公報
【発明の概要】
【発明が解決しようとする課題】
【０００６】
本発明が解決しようとする課題は、内部のほこりを効率的に吐き出すことにより、内部にほこりが溜まらない電子機器を提供することである。
【課題を解決するための手段】
【０００７】
実施形態の電子機器は、筐体内に配設された冷却ファンと、電子機器の動作中に、前記冷却ファンに対して、定常回転、回転動作の一時停止、その後、定常回転を超える回転数での回転を行わせる冷却ファン制御部と、を備える。
【図面の簡単な説明】
【０００８】
【図１】実施形態に係る電子機器の構成例を示すブロック図である。
【図２】冷却ファンの回転制御例を示す図である。
【発明を実施するための形態】
【０００９】
以下、本発明の一実施の形態について、図面を参照して説明する。尚、各図において同一箇所については同一の符号を付すとともに、重複した説明は省略する。
【００１０】
図１は、実施形態に係る電子機器の構成例を示すブロック図である。図１に示すように、この電子機器は、筐体１０内に各種の部品が搭載されたマザーボード５を内蔵している。マザーボード５には、ＣＰＵ１、チップセット２、メモリ３、ＩＣ４が搭載されている。マザーボード５の一端側には、各種の信号授受用のコネクタ７が配置されている。筐体１０には、電子機器の稼働に伴って発生する発熱対策用として冷却ファン６が配置されている。
【００１１】
本実施形態では、電子機器内に設置する冷却ファン６を制御し、定期的に電子機器内のほこりを電子機器外に吐き出す動作を行う。電子機器内に設置した冷却ファン６が一定の回転数で長時間動作していると、ほこりが電子機器内部に溜まりやすく、２４時間一定の回転数で動作している電子機器において顕著である。これは、電子機器の筐体１０の隙間から取り込まれた外気が電子機器内部で略一定化した空気の流れとなるため、外気に含まれる塵埃や、電子機器そのものの汚れがほこりとなって電子機器内の特定の箇所に溜まっていくからである。
【００１２】
そこで、本実施形態では、例えば、図２に示すような冷却ファンの回転制御を行う。図２において、横軸は時間、縦軸は冷却ファンの回転数を表している。電子機器が動作中であるとき、定常回転中の冷却ファンに対して、一時的に冷却ファン６の回転を停止する。その後、冷却ファン６を定常回転を超える回転数で回転させるように制御する。尚、この場合、冷却ファン６を一気に最大出力で回転させるように制御してもよい。
【００１３】
このように電子機器内の空気の流れに緩急をつける、言わば乱流を引き起こすことによって、電子機器内部の特定の箇所に溜まっているほこりを動かし、電子機器内に散乱したほこりを冷却ファン６によって、電子機器外に排出する。
【００１４】
冷却ファン６の回転に伴い、風切による騒音が発生する。そのため、電子機器の通常使用時には、電子機器内部の冷却に必要な風量を生み出す回転数で使用されており、冷却ファン６を最大出力にて回転させることは行われていない。
【００１５】
冷却ファン６の設置箇所は、電子機器の外縁にするのが好適である。また、冷却ファン６の取り付けは、電子機器から外向きに空気を吐き出す向きに行う。
【００１６】
冷却ファン６の回転の一時停止は、電子機器内部の温度として余裕のあるタイミングで行うのが好適である。すなわち、電子機器内部が十分冷却されていない状態では、ほこりの吐き出しよりも冷却を優先すべきである。
【００１７】
冷却ファン６の定常回転、一時停止、高速回転の一連の回転制御は定期的に行うのが好適である。複数の冷却ファン６が取り付けられている場合には、複数の冷却ファン６に対して同時にほこり吐き出しの制御を行ってもよいし、個々の冷却ファン６をランダムに制御してもよい。電子機器内部の空気に乱れを起こして、ほこりを滞留させないようにする。
【００１８】
ほこり吐き出しの制御により、冷却ファン６の最大出力での回転時の風切り音は定常回転時よりも大きくなるので、電子機器使用中のユーザに、一抹の不安を与える虞がある。そこで、ほこり吐き出しの制御は、ユーザによる電子機器操作が所定時間以上行われていない場合や電子機器から離れている場合に、作動させるのが好適である。
【００１９】
また、ほこり吐き出しの制御中は、電子機器のディスプレイ(図示しない)画面に、「冷却ファン動作中」や「掃除中」等のメッセージを表示させるのが好適である。このような表示を行うことにより、電子機器使用中のユーザにシステムが正常であることを了知させることができる。
【００２０】
本実施形態によれば、電子機器内部にほこりが溜まりにくくなり、安定的に電子機器を動作させることができる。電子機器内部を掃除するようなメンテナンスの回数を減らすことや、冷却能力の低下を防ぐことで各部品の寿命が延び、結果として電子機器を長く使用することができる。
【００２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
１０・・・筐体、
１・・・ＣＰＵ、
２・・・チップセット、
３・・・メモリ、
４・・・ＩＣ、
５・・・マザーボード、
６・・・冷却ファン、
７・・・コネクタ。
【図１】
2013055295.tif 000003
【図２】
2013055295.tif 000004